(57)【要約】      （修正有）【課題】安全防護機能を有するソケットカバーを提供する。【解決手段】ソケットカバー１００は、ソケット台を覆い、２つの凹み部１１２、及び、電気接続部を外部に露出可能な２つの開口部を有する本体１１０と、本体１１０に摺動可能に設けられ、第１移動経路Ｌ１に沿って開放位置Ｐ１と閉合位置Ｐ２との間を移動することができる２つの防護ドアプレート１２０と、を備える。防護ドアプレート１２０を開放位置Ｐ１にずらすことによって防護ドアプレート１２０が凹み部１１２に入り込み、防護ドアプレート１２０を閉合位置Ｐ２にずらすことによって対応する電気接続部を覆うことができる。各防護ドアプレート１２０が本体１１０の内側にあり、かつ開放位置Ｐ１にあるときは、各防護ドアプレート１２０は、本体１１０とソケット台との間に入り込む。【選択図】図１Ａ
0003211637.tif 000002
【実用新案登録請求の範囲】
【請求項１】
２つの電気接続部を有するソケットのソケット台を覆うソケットカバーであって、
前記ソケット台を覆い、２つの凹み部、及び、前記電気接続部を外部に露出可能な２つの開口部を有する本体と、
前記本体に摺動可能に設けられ、第１移動経路に沿って開放位置と閉合位置との間を移動することができる２つの防護ドアプレートと、を備え、
前記防護ドアプレートを開放位置にずらすことによって前記防護ドアプレートが凹み部に入り込み、前記防護ドアプレートを閉合位置にずらすことによって対応する前記電気接続部を覆うことを特徴とする、ソケットカバー。
【請求項２】
前記本体と前記防護ドアプレートとのいずれかに摺動可能に設けられた少なくとも一つの位置拘束体を含み、
前記位置拘束体は、第２移動経路に沿って解放位置と制限位置との間を移動し
前記位置拘束体が前記制限位置に移動すると、前記防護ドアプレートの作動を制限することを特徴とする、請求項１に記載のソケットカバー。
【請求項３】
前記本体に摺動可能に設けられた前記位置拘束体の前記制限位置は前記第１移動経路に位置することを特徴とする、請求項２に記載のソケットカバー。
【請求項４】
前記防護ドアプレートは、拘束凹み溝を有し、
前記防護ドアプレートを閉合位置にずらすと、前記位置拘束体は前記解放位置から前記第２移動経路に沿って前記制限位置に移動して、前記拘束凹み溝に係合されることを特徴とする、請求項３に記載のソケットカバー。
【請求項５】
前記防護ドアプレートに摺動可能に設けられた前記位置拘束体は、前記防護ドアプレートと合わせて前記第１移動経路に沿って移動し、
前記本体は、拘束凹み溝を有し、
前記防護ドアプレートを前記閉合位置にずらすと、前記位置拘束体が前記解放位置から前記第２移動経路に沿って前記制限位置に移動して、前記拘束凹み溝に係合されることを特徴とする、請求項２に記載のソケットカバー。
【請求項６】
前記本体は、凹み部に設けられた第１固定部を有し、
前記第１固定部は、前記第１移動経路に位置し、
前記防護ドアプレートは、第２固定部を有し、
前記防護ドアプレートを前記開放位置にずらすと、前記第２固定部が前記第１固定部に係合することによって、前記防護ドアプレートを第１固定部に位置させ、前記電気接続部に電気接続空間を形成することを特徴とする、請求項１に記載のソケットカバー。
【請求項７】
前記本体は、案内部をさらに有し、
前記防護ドアプレートは、前記案内部から前記第１移動経路に沿って前記開放位置、または、前記閉合位置に移動することを特徴とする、請求項１に記載のソケットカバー。
【請求項８】
前記各凹み部と、前記各防護ドアプレートとを前記本体の外側に配置することを特徴とする、請求項１に記載のソケットカバー。
【請求項９】
前記各凹み部と、前記各防護ドアプレートとは前記本体の内側に配置しており、
前記防護ドアプレートを前記開放位置にずらすと、前記防護ドアプレートが前記本体と、前記ソケット台との間に入り込むことを特徴とする、請求項１に記載のソケットカバー。
【請求項１０】
前記本体の内側は、前記防護ドアプレートの上下両側にそれぞれガイドレール部材を配置しており、
上側の前記ガイドレール部材は、対応する前記凹み部の上側から対応する前記開口部の上側に伸び、
下側の前記ガイドレール部材は、対応する前記凹み部の下側から対応する前記開口部の下側に伸び、
前記各ガイドレール部材と、前記本体の内側との間に溝部を形成し、前記各防護ドアプレートの上下両側を対応する前記溝部に挟むことによって、前記各防護ドアプレートが対応する溝部にて摺動できることを特徴とする、請求項９に記載のソケットカバー。
【請求項１１】
前記防護ドアプレートは、一側に前記本体の外部に突き出す突き出し部を有し、
前記防護ドアプレートを前記開放位置にずらすと、前記突き出し部によって、対応する前記凹み部が対応する前記開口部の一側に係止することを特徴とする、請求項９に記載のソケットカバー。
【請求項１２】
前記本体に摺動可能に設けられる少なくとも一つの位置拘束体を含み、前記位置拘束体が制限位置に移動すると、前記防護ドアプレートの作動を制限し、
前記防護ドアプレートを前記閉合位置にずらすと、前記位置拘束体が前記制限位置に移動して、前記防護ドアプレートの一側に係止することによって、前記防護ドアプレートを前記閉合位置に固定することを特徴とする、請求項９に記載のソケットカバー。
【請求項１３】
前記本体は少なくとも一つの通リ孔を有し、
前記位置拘束体は前記本体の内側に位置し、前記位置拘束体の一端をそれぞれ対応する前記通リ孔に伸ばすことによって、前記各位置拘束体が対応する前記通リ孔内を摺動することができ、
前記位置拘束体の一端を対応する前記通リ孔から前記本体の外側に突き出させて、使用者が前記位置拘束体を動かせることを特徴とする、請求項１２に記載のソケットカバー。
【考案の詳細な説明】
【技術分野】
【０００１】
本考案は、安全防護機能を有するソケットカバーに関する。
【背景技術】
【０００２】
電気ソケットは、電設設備に電源を供給するための電気設備である。通常、ソケットには複数の差し込み孔が設けられている。複数の差し込み孔は、複数の電気装置のプラグの挿入に用いられ、非常に便利に使用できる。
【考案の概要】
【考案が解決しようとする課題】
【０００３】
しかし、ソケットの差し込み孔は露出しており、時間経過に伴い、粉塵や異物等がソケット表面に堆積して、差し込み孔内部に進入してしまい、ソケットの外観、性能および使用寿命に影響を与える。このほかに、差し込み孔を使用していないとき防護処置が施されておらず、不注意によりぶつかると怪我をする恐れがある。
本考案は、上記課題に鑑みて創作されたものである。本考案の目的は、安全防護機能を有するソケットカバーの提供をすることにある。
【課題を解決するための手段】
【０００４】
本考案に係るソケットカバーは、２つの電気接続部を有するソケットのソケット台を覆う。ソケットカバーは、ソケット台を覆い、２つの凹み部、及び、電気接続部を外部に露出可能な２つの開口部を有する本体と、本体に摺動可能に設けられ、第１移動経路に沿って開放位置と閉合位置との間を移動することができる２つの防護ドアプレートと、を備える。
防護ドアプレートを開放位置にずらすことによって防護ドアプレートが凹み部に入り込み、防護ドアプレートを閉合位置にずらすことによって対応する電気接続部を覆うことができる。
【図面の簡単な説明】
【０００５】
【図１Ａ】第一実施形態に係るソケットカバーを示す平面図である。
【図１Ｂ】第一実施形態に係るソケットのソケット台を示す平面図である。
【図２】図１Ａに示すソケットカバーが図１Ｂに示すソケット台を覆った状態の平面図である。
【図３Ａ】図２のソケットカバーに設けられた防護ドアプレートの作動図である。
【図３Ｂ】図２のソケットカバーに設けられた防護ドアプレートの作動図である。
【図４】第二実施形態に係るソケットカバーが図１Ｂのソケット台を覆った状態の平面図である。
【図５】第一実施形態に係るソケットカバーの斜視図である。
【図６Ａ】図５のＡ−Ａ方向による断面図である。
【図６Ｂ】図６Ａに示すソケットカバーがソケット台を覆った状態の断面図である。
【図７】第三実施形態に係るソケットカバーの斜視図である。
【図８Ａ】図７内側の視角による斜視図である。
【図８Ｂ】図８Ｂのソケットカバーが上向きの視角で見た斜視図である。
【図８Ｃ】図８Ａによるソケットカバーにガイドレール部材を含まない斜視図である。
【図９Ａ】図７に示すソケットカバーの外側の平面図である。
【図９Ｂ】図７に示すソケットカバーの内側の平面図である。
【図１０Ａ】図７のＢ−Ｂ方向による断面図である。
【図１０Ｂ】図１０Ａに示すソケットカバーがソケット台を覆った状態の断面図である。
【考案を実施するための形態】
【０００６】
本考案の複数の実施形態について図面を参照しながら、以下説明する。
【０００７】
（第一実施形態）
図１Ａ、図１Ｂ、図２、及び、図５を合わせて参照する。本実施形態に係るソケットカバー１００がソケット２００のソケット台２１０を覆っている。そのうち、ソケット台２１０は２つの電気接続部２１２を有している。本実施形態において、ソケットカバー１００は、本体１１０と、２つの防護ドアプレート１２０と、を含む。本体１１０は、ソケット台２１０を覆っている。そのうち、本体１１０は２つの凹み部１１２と、２つの開口部１１４とを有する。これらの開口部１１４は、すべてソケット台２１０に対応する電気接続部２１２を露出している。
【０００８】
図１Ａに示す２つの防護ドアプレート１２０は例えば、それぞれ本体１１０の対応両側（例えば、左右両側）に配置する。各防護ドアプレート１２０がそれぞれ対応する開口部１１４に位置していて、かつ、対応する電気接続部２１２を覆っている。このほか、図２において、各防護ドアプレート１２０が開口部１１４から対応する凹み部１１２に移動した後は、再び対応する電気接続部２１２を覆っていない。すなわち、図２において、開口部１１４によって露出される電気接続部２１２は、防護ドアプレート１２０に覆われていない。詳しく言えば、図２に示す２つの防護ドアプレート１２０は、例えばそれぞれ反対方向に移動することによって、電気接続部２１２の開放目的を達成する。当然ながら、他の好ましい実施形態の設計において、２つの防護ドアプレート１２０を同じ方向に向かって移動させ、電気接続部２１２を開放することができる。本考案にはこれに何らの制限を設けない。
【０００９】
引き続き図３Ａ−３Ｂを参照する。本実施形態において。２つの防護ドアプレート１２０が本体に１１０に摺動可能に設けられている。本実施形態において、それぞれの防護ドアプレート１２０が第１移動経路Ｌ１に沿って、開放位置Ｐ１と閉合位置Ｐ２で移動できる。
【００１０】
このほか、本体１１０は例えば案内部１１８を設け、防護ドアプレート１２０が案内部１１８の助けで第１移動経路Ｌ１に沿って、開放位置Ｐ１と閉合位置Ｐ２で往復移動しても良い。
【００１１】
図６Ａに図５Ａ−Ａ方向による断面図を示す。図６Ｂは、図６Ａに示すソケットカバーがソケット台を覆った状態の断面図を示す。図６Ａ、及び、図６Ｂに示すとおり、本実施形態において、各防護ドアプレート１２０を開放位置Ｐ１にずらすと防護ドアプレート１２０が本体１１０の凹み部１１２に入り込む。これに対して、各防護ドアプレート１２０を閉合位置Ｐ２にずらすと、防護ドアプレート１２０が対応する電気接続部２１２の配置位置の上方に移動して、対応する電気接続部２１２を覆って、ソケット２００の撥水性と防塵性能が向上される。
【００１２】
特に、防護ドアプレート１２０を確実、かつ安定に本体１１０に配置させるため、本実施形態は例えば、本体１１０の凹み部１１２に第１固定部１１６を設け、例えば第１移動経路Ｌ１に設ける。これに対して、本実施形態は例えば、防護ドアプレート１２０がソケット台２１０に向かう面に第２固定部１２２を設けることもできる。これにより、防護ドアプレート１２０が開放位置Ｐ１に移動したとき、防護ドアプレート１２０の第２固定部１２２が凹み部１１２の第１固定部１１６に係合される。よって、防護ドアプレート１２０を引き続きに対応する凹み部１１２に固定されるため、電気接続部２１２は防護ドアプレート１２０を覆うことなく、プラグ（図示しない）の挿入を妨げない。
【００１３】
さらに、本考案のソケットカバー１００は、少なくとも一つの位置拘束体１３０を更に含めても良い。そのうち、位置拘束体１３０は例えば、本体１１０と防護ドアプレート１２０いずれかの方に設けて、第２移動経路Ｌ２に沿って、解放位置Ｐ３と、制限位置Ｐ４に移動させることができる。特に説明することは、本考案の位置拘束体１３０は第２移動経路Ｌ２に沿って制限位置に移動し、防護ドアプレート１２０の作動制限に適しており、防護ドアプレート１２０を確実に対応する電気接続部２１２の外部に覆わせることができる。
【００１４】
図３Ａに示す左側の防護ドアプレート１２０が左側の電気接続部２１２を覆っていて、図３Ｂに反対の状況が示されている。
【００１５】
（第二実施形態）
図４に本考案の第二実施形態によるソケットカバーが図１Ｂのソケット台を覆った状態の図を示す。位置拘束体１３０が防護ドアプレート１２０に摺動可能に設けられいて、かつ、防護ドアプレート１２０と合わせて第１移動経路Ｌ１に移動される。類似例として、本体１１０に拘束凹み溝Ｇ２を設けることもできる。よって、防護ドアプレート１２０を閉合位置Ｐ２にずらすと、位置拘束体１３０が第２移動経路Ｌ２に沿って制限位置に移動して、拘束凹み溝Ｇ２に係合される。
【００１６】
前述の実施形態において、各凹み部１１２と、各防護ドアプレート１２０は本体１１０の外側に配置されている。
【００１７】
（第三実施形態）
図７から図１０Ｂに、本考案の第三実施形態を示す。本実施形態において、前述実施形態と同じ構成要素に同じ符号が割り付けられ、かつ、同じ効果を有しているため、ここでの説明を省略して、以下にその相違点のみを説明する。
【００１８】
図８Ａ、図１０Ａ、及び、図１０Ｂに示すように、本実施形態において、各凹み部１１２と、各防護ドアプレート１２０が本体１１０の外側に配置されている。図１０Ａ、及び、図１０Ｂの断面図に示すように、防護ドアプレート１２０が開放位置Ｐ１に位置しているときは、防護ドアプレート１２０が本体１１０と、ソケット台２１０との間に配置される。これに対して、防護ドアプレート１２０を閉合位置Ｐ２にずらすと、防護ドアプレート１２０が対応する電気接続部２１２の配置位置の上方に移動して、対応する電気接続部２１２を覆う。このように、防護ドアプレート１２０を適用したソケットカバー１００によってソケット２００のソケット台２１０を閉合して、ソケット２００の撥水性と防塵機能を確実に向上できる。
【００１９】
引き続き図８Ａ、及び、図８Ｂを参照する。本体１１０の内側は各防護ドアプレート１２０の上下両側に、それぞれガイドレール部材１１５が配置されている。そのうち、上側のガイドレール部材１１５が対応する凹み部１１２上側から対応する開口部１１４の上側に伸ばし、下側のガイドレール部材１１５が対応する凹み部１１２の下側から対応する開口部１１４の下側に伸ばしている。さらに、各ガイドレール部材１１５と、本体１１０内側との間に溝部３００が形成されている。そのうち、各防護ドアプレート１２０の上下両側が対応する溝部３００に挟まれており、各防護ドアプレート１２０が対応する溝部３００にて摺動できる。
【００２０】
図１０Ａ、及び、図１０Ｂを参照する。そのうち、防護ドアプレート１２０の一側に形成する突き出し部１２５が本体１１０の外部に突き出されている。防護ドアプレート１２０を開放位置Ｐ１にずらすと、突き出し部１２５は対応する凹み部１１２が対応する開口部１１４の一側に係止される。
【００２１】
図８Ｃ、及び、図９Ｂを参照する。位置拘束体１３０が本体１１０に摺動可能に設けられている。本実施形態において、防護ドアプレート１２０を閉合位置Ｐ２にずらすと、位置拘束体１３０が第２移動経路Ｌ２に沿って、解放位置Ｐ３から第１移動経路Ｌ１の制限位置Ｐ４に移動して、防護ドアプレート１２０の一側に係止し、防護ドアプレート１２０を閉合位置Ｐ２に固定させる。
【００２２】
引き続き、図７、図８Ｃ、及び、図９Ａを参照する。本体１１０に少なくとも一つの通リ孔４００が形成されている。そのうち、各位置拘束体１３０が本体１１０の内側に位置していて、かつ、本体１１０と、対応するガイドレール部材１１５との間に位置される。さらに、各位置拘束体１３０の一端をそれぞれ対応する通リ孔４００に伸ばすことによって、各位置拘束体１３０が対応する通リ孔４００内を摺動することができる。
【００２３】
以上の説明は、本考案の好ましい実施形態の具体的な説明である。ただし、上記実施形態は本考案になんらの制限を加えるものではない。本考案の技術精神に基づく効果の応用又は変更は、すべて本考案の実用新案登録請求の範囲に含めるべきである。
【符号の説明】
【００２４】
１００  ソケットカバー
１１０  本体
１２０  防護ドアプレート
１３０  位置拘束体
１１２  凹み部
１１４  開口部
２００  ソケット
２１０  ソケット台
２１２  電気接続部
Ｌ１  第１移動経路
Ｌ２  第２移動経路
Ｐ１  開放位置
Ｐ２  閉合位置
Ｐ３  解放位置
Ｐ４  制限位置
【図１Ａ】
0003211637.tif 000003
【図１Ｂ】
0003211637.tif 000004
【図２】
0003211637.tif 000005
【図３Ａ】
0003211637.tif 000006
【図３Ｂ】
0003211637.tif 000007
【図４】
0003211637.tif 000008
【図５】
0003211637.tif 000009
【図６Ａ】
0003211637.tif 000010
【図６Ｂ】
0003211637.tif 000011
【図７】
0003211637.tif 000012
【図８Ａ】
0003211637.tif 000013
【図８Ｂ】
0003211637.tif 000014
【図８Ｃ】
0003211637.tif 000015
【図９Ａ】
0003211637.tif 000016
【図９Ｂ】
0003211637.tif 000017
【図１０Ａ】
0003211637.tif 000018
【図１０Ｂ】
0003211637.tif 000019